(57)【要約】  【課題】  描画用画像データ作成装置において、描画用テーブルに配置された位置ずれの生じた記録媒体上への画像の描画に使用する描画用画像データを効率良く作成する。【解決手段】  原画像データ部分取得手段１０によって、描画用テーブル１１４上の所定位置に配置された記録媒体１上の記録領域Ｓｏへの画像の描画に使用する原画像データＦから、記録媒体１上の各描画領域部分Ｋ１．１・・・に対する描画に用いる、のりしろ領域を有する原画像データ部分Ｆ１．１・・・を取得し、位置変換手段３５により、位置ずれの生じた記録媒体１上の記録領域Ｓｏに上記画像を記録すべく、各原画像データ部分Ｆ１．１・・・に対して位置ずれ量δに応じた位置変換を施して変換済画像データ部分Ｇ１．１・・・を得、描画データ作成手段４０により、各描画領域部分Ｋ１．１・・・に対する画像の描画に用いる描画用画像データ部分Ｆ’１．１・・・のそれぞれを作成する。【選択図】          図１
2006264050.tif 000002
【特許請求の範囲】
【請求項１】
描画用テーブルに対して位置の定められた描画領域に対応させて該描画用テーブル上の所定位置へ配置された記録媒体上における所定の記録領域への画像の描画に使用する原画像データから、前記描画領域を分割してなる各描画領域部分に対応する前記記録領域中の各記録領域部分に対する描画に用いる原画像データ部分をそれぞれ取得し、
前記描画用テーブル上に配置された位置ずれの生じた前記記録媒体上の前記記録領域に前記画像を記録すべく、各原画像データ部分に対して前記位置ずれ量に応じた位置変換を施して変換済画像データ部分のそれぞれを得、
該変換済画像データ部分を用いて、各描画領域部分に対する画像の描画に用いる描画用画像データ部分のそれぞれを作成する描画用画像データ作成方法において、
前記原画像データ部分が、該原画像データ部分に対応する画像部分の縁部から、該画像部分に隣接する他の画像部分へ延びるのりしろ領域を示す画像データをさらに有するものであることを特徴とする描画用画像データ作成方法。
【請求項２】
予め定められた描画領域に対応させて配置された記録媒体上における所定の記録領域への画像の描画に使用する原画像データから、前記描画領域を互いに異なる２方向に分割してなる各描画領域部分に対応する前記記録領域中の各記録領域部分に対する描画に用いる原画像データ部分をそれぞれ取得し、
前記記録媒体上の前記記録領域に前記画像を記録すべく、各原画像データ部分に対して前記記録媒体の配置位置および変形の少なくとも一方に応じた位置変換を並列的に施して変換済画像データ部分のそれぞれを得、
該変換済画像データ部分を用いて、各描画領域部分に対する画像の描画に用いる描画用画像データ部分のそれぞれ又は描画領域全体に対する画像の描画に用いる描画用画像データを作成する描画用画像データ作成方法において、
前記原画像データ部分が、該原画像データ部分に対応する画像部分の縁部から、該画像部分に隣接する他の画像部分へ延びるのりしろ領域を示す画像データをさらに有するものであることを特徴とする描画用画像データ作成方法。
【請求項３】
前記描画領域部分が、前記描画領域を、互いに異なる２方向に分割してなるものであることを特徴とする請求項１または２記載の描画用画像データ作成方法。
【請求項４】
前記原画像データ部分に対する前記位置変換の各処理を、各原画像データ毎に用意された個別の処理手段により並列的に実施するものであることを特徴とする請求項１または２記載の描画用画像データ作成方法。
【請求項５】
描画用テーブルに対して位置の定められた描画領域に対応させて該描画用テーブル上の所定位置へ配置された記録媒体上における所定の記録領域への画像の描画に使用する原画像データから、前記描画領域を分割してなる各描画領域部分に対応する前記記録領域中の各記録領域部分に対する描画に用いる原画像データ部分をそれぞれ取得する原画像データ部分取得手段と、
前記描画用テーブル上に配置された位置ずれの生じた前記記録媒体上の前記記録領域に前記画像を記録すべく、各原画像データ部分に対して前記位置ずれ量に応じた位置変換を施して変換済画像データ部分のそれぞれを得る位置変換手段と、
該変換済画像データ部分を用いて、各描画領域部分に対する画像の描画に用いる描画用画像データ部分のそれぞれを作成する描画データ作成手段とを備えた描画用画像データ作成装置において、
前記原画像データ部分取得手段の取得する前記原画像データ部分が、該原画像データ部分に対応する画像部分の縁部から、該画像部分に隣接する他の画像部分へ延びるのりしろ領域を示す画像データをさらに有するものであることを特徴とする描画用画像データ作成装置。
【請求項６】
予め定められた描画領域に対応させて配置された記録媒体上における所定の記録領域への画像の描画に使用する原画像データから、前記描画領域を互いに異なる２方向に分割してなる各描画領域部分に対応する前記記録領域中の各記録領域部分に対する描画に用いる原画像データ部分をそれぞれ取得する原画像データ部分取得手段と、
前記記録媒体上の前記記録領域に前記画像を記録すべく、各原画像データ部分に対して前記記録媒体の配置位置および変形の少なくとも一方に応じた位置変換を並列的に施して変換済画像データ部分のそれぞれを得る位置変換手段と、
前記変換済画像データ部分を用いて、各描画領域部分に対する画像の描画に用いる描画用画像データ部分のそれぞれ又は描画領域全体に対する画像の描画に用いる描画用画像データを作成する描画データ作成手段とを備えた描画用画像データ作成装置において、
前記原画像データ部分取得手段の取得する前記原画像データ部分が、該原画像データ部分に対応する画像部分の縁部から、該画像部分に隣接する他の画像部分へ延びるのりしろ領域を示す画像データをさらに有するものであることを特徴とする描画用画像データ作成装置。
【請求項７】
前記描画領域部分が、前記描画領域を、互いに異なる２方向に分割してなるものであることを特徴とする請求項５または６記載の描画用画像データ作成装置。
【請求項８】
前記位置変換手段が、各原画像データ部分に対する前記位置変換の各処理を、各原画像データ毎に用意された個別の処理手段により並列的に実施するものであることを特徴とする請求項５から７のいずれか１項記載の描画用画像データ作成装置。
【請求項９】
請求項５から８のいずれかの描画用画像データ作成装置と、該描画用画像データ作成装置によって作成された前記描画用画像データに基づいて前記記録媒体に画像を描画する描画装置とを備えたことを特徴とする描画用画像データ作成描画装置。
【発明の詳細な説明】
【技術分野】
【０００１】
本発明は、描画用テーブル上に配置された位置ずれの生じ得る記録媒体上へ正しく画像を描画させるための描画用画像データを作成する描画用画像データ作成方法および装置ならびに描画用画像データ作成描画装置に関するものである。
【背景技術】
【０００２】
従来より、記録媒体上に画像を描画する描画装置の１例として、ＤＭＤ（デジタル・マイクロミラー・ディバイス）を搭載した複数の露光用描画ヘッドを有する描画装置が知られている（特許文献１参照）。また、このような描画装置には、露光用の記録媒体が配された描画用テーブルが、描画ヘッドの下を１方向に搬送され記録媒体上に画像を描画するものが知られている。上記描画装置では、描画用テーブルと、描画ヘッドにより描画される描画領域との位置関係が固定されている。また、各描画ヘッドそれぞれの描画領域部分は描画用テーブルが搬送される方向へ延びる長方形（ストライプ）状の領域となる。
【０００３】
上記のような描画領域と描画用テーブルとの位置関係が固定された描画装置においては、記録媒体上に画像を描画するために描画ヘッドに入力される原画像データは、上記描画用テーブルに対して位置の定められた描画領域に対応させて、この描画テーブル上の所定位置へ配された記録媒体に対して描画を行なうことを前提として作成される。つまり、上記原画像データは、記録媒体が描画用テーブル上の正しい位置に配されたときに、この記録媒体上における所定の記録領域は正しく画像が描画される。なお、上記原画像データは、この原画像データの示す画像を分割してなる各画像部分を示す各原画像データ部分から構成されるものであり、各描画ヘッドに対して各原画像データ部分が入力されて上記長方形（ストライプ）状の描画領域部分それぞれへの描画が行なわれる。
【０００４】
例えば、図１２に示すように、描画ヘッドＨ１，Ｈ２，Ｈ３，Ｈ４（まとめて描画ヘッドＨともいう）のそれぞれに対応する長方形（ストライプ）状の描画領域部分Ｒ１，Ｒ２，Ｒ３，Ｒ４（まとめて描画領域Ｒともいう）と描画用テーブル９０との位置関係は固定されており、上記描画領域に対応させた描画用テーブル９０上の予め定められた所定位置Ｐｏに記録媒体９１を配置し、原画像データＦを構成する原画像データ部分Ｆ１、Ｆ２，Ｆ３，Ｆ４のそれぞれを各描画ヘッドＨ１，Ｈ２，Ｈ３，Ｈ４に入力して、記録媒体９１に画像Ｐｃを描画することによりこの記録媒体上に正しく画像Ｐｃが描画される。すなわち、記録媒体９１に対して位置が予め定められている記録領域Ｓｏに正しく画像Ｐｃが描画される。なお、上記画像Ｐｃは、描画ヘッドＨ１、Ｈ２，Ｈ３，Ｈ４によって各描画領域Ｒ１，Ｒ２，Ｒ３，Ｒ４へ描画された画像部分Ｐｃ１，Ｐｃ２，Ｐｃ３，Ｐｃ４からなるものである。
【０００５】
ところで、図１３に示すように、記録媒体９１が描画用テーブル９０上の所定位置Ｐｏに配置されず、この所定位置Ｐｏから外れた位置Ｐ１に位置する場合には、位置ずれの生じた記録媒体９１上へ上記画像Ｐｃが正しく描画されるように、上記各描画ヘッドＨ１，Ｈ２、Ｈ３、Ｈ４に入力される画像データを変更する。すなわち、原画像データＦに対して位置ずれ量δ（ｘ，ｙ、θ）に応じた位置変換を施して変換済画像データＧを得、この変換済画像データＧから各描画ヘッドＨ１、Ｈ２，Ｈ３，Ｈ４で使用する部分を取り出して描画用画像データ部分Ｆ１’、Ｆ２’、Ｆ３’、Ｆ４’を得、このようにして作成した描画用画像データ部分Ｆ１’、Ｆ２’、Ｆ３’、Ｆ４’が各描画ヘッドＨ１，Ｈ２，Ｈ３，Ｈ４に入力され上記位置ずれの生じた記録媒体９１への描画を行う。
【０００６】
これにより、上記位置ずれの生じた記録媒体９１上へ上記画像Ｐｃを正しく描画することができる。すなわち、記録媒体１上の予め定められた記録領域Ｓｏに正しく画像が描画される。なお、各描画ヘッドＨ１，Ｈ２，Ｈ３，Ｈ４によって露光される描画領域Ｒ１，Ｒ２，Ｒ３，Ｒ４は、描画用テーブル９０に対して固定されているので、その位置は描画テーブルに対して変わることなく一定である。
【０００７】
また、上記原画像データＦから描画用画像データ部分Ｆ１’、Ｆ２’、Ｆ３’、Ｆ４’を算出する演算時間を短縮させるために並列処理の手法を用いることも検討されている。すなわち、この手法は、図示のように原画像データ部分Ｆ１，Ｆ２，Ｆ３，Ｆ４のそれぞれを演算処理するための、専用の個別の演算回路Ｄｓ１，Ｄｓ２，Ｄｓ３，Ｄｓ４を用意し、原画像データ部分Ｆ１，Ｆ２，Ｆ３，Ｆ４に対する上記位置ずれ量δ（ｘ，ｙ、θ）についての位置変換の演算を各演算回路Ｄｓ１、Ｄｓ２，Ｄｓ３，Ｄｓ４で並列的に行ない、変換済画像データＧを構成する変換済画像データ部分Ｇ１，Ｇ２，Ｇ３，Ｇ４を得るものである。その後、これらの変換済画像データ部分Ｇ１，Ｇ２，Ｇ３，Ｇ４Ｇから各描画ヘッドＨ１，Ｈ２，Ｈ３，Ｈ４で使用する部分を取り出し合成して描画用画像データ部分Ｆ１’、Ｆ、２’、Ｆ３’、Ｆ４’を得る。上記変換済画像データ部分Ｇ１，Ｇ２，Ｇ３，Ｇ４Ｇから各描画ヘッドＨ１，Ｈ２，Ｈ３，Ｈ４で使用する部分を取り出して合成する演算は、各描画ヘッドＨ１、Ｈ２、Ｈ３、Ｈ４毎に備えられている画像データ抽出回路Ｄｇ１，Ｄｇ２，Ｄｇ３，Ｄｇ４によって実行される。
【０００８】
ここで、描画ヘッドＨ１で描画領域部分Ｒ１へ描画する画像は、上記記録媒体９１が所定位置Ｐｏに配置されたときの画像部分Ｐｃ１とＰｃ２から構成されるので、画像データ抽出回路Ｄｇ１では変換済画像データ部分Ｇ１およびＧ２の一部分を取り出して合成することにより描画用画像データ部分Ｆ１’を作成する。他の描画用画像データ部分Ｆ２’、Ｆ３’、Ｆ４’についても、上記と同様に、変換済画像データ部分Ｇ１、Ｇ２，Ｇ３，Ｇ４のうちの少なくとも２種類を取り出して合成することによりこれらの描画用画像データ部分Ｆ２’、Ｆ３’、Ｆ４’が作成される。
【０００９】
【特許文献１】特開２００４−００１２４４号公報
【発明の開示】
【発明が解決しようとする課題】
【００１０】
ところで、上記並列処理を行う手法においては、例えば、露光ヘッドＨ１に入力される描画用画像データＦ１’は、互いに異なる演算回路Ｄｓ１，Ｄｓ２を通して得られた変換済画像データ部分Ｇ１，Ｇ２の入力された画像データ抽出回路Ｄｇ１の演算によって得られたものである。すなわち、各画像データ抽出回路Ｄｇによって各描画用画像データ部分Ｆ’を作成する処理は、互いに異なる複数の演算回路Ｄｓからの複数の変換済画像データ部分Ｇの転送を受け入れて実行されるものである。このように、複数の演算回路Ｄｓからデータの転送を受けたときには、いずれかの演算回路Ｄｓからのデータ転送を待たせる必要がある。一方、上記画像の描画に使用する描画用画像データの作成時間を極力短くすることが求められているため、上記データ転送時間をも短縮したいという要請がある。
【００１１】
これに対して、複数の演算回路Ｄｓから転送される複数の変換済画像データ部分Ｇの受け入れを並列的に処理することが考えられるが、そのためには多数の並列処理回路を増設しなければならず、回路が複雑化するとともに装置コストが増大する。
【００１２】
本発明は、上記事情に鑑みてなされたものであり、画像の描画に使用する描画用画像データを効率良く作成することができる描画用画像データ作成方法および装置ならびに描画用画像データ作成描画装置を提供することを目的とするものである。
【課題を解決するための手段】
【００１３】
本発明の第1の描画用画像データ作成方法は、描画用テーブルに対して位置の定められた描画領域に対応させて該描画用テーブル上の所定位置へ配置された記録媒体上における所定の記録領域への画像の描画に使用する原画像データから、前記描画領域を分割してなる各描画領域部分に対応する前記記録領域中の各記録領域部分に対する描画に用いる原画像データ部分をそれぞれ取得し、描画用テーブル上に配置された位置ずれの生じた記録媒体上の記録領域に前記画像を記録すべく、各原画像データ部分に対して前記位置ずれ量に応じた位置変換を施して変換済画像データ部分のそれぞれを得、該変換済画像データ部分を用いて、各描画領域部分に対する画像の描画に用いる描画用画像データ部分のそれぞれを作成する描画用画像データ作成方法において、原画像データ部分が、該原画像データ部分に対応する画像部分の縁部から、該画像部分に隣接する他の画像部分へ延びるのりしろ領域を示す画像データをさらに有することを特徴とするものである。
【００１４】
本発明の第２の描画用画像データ作成方法は、予め定められた描画領域に対応させて配置された記録媒体上における所定の記録領域への画像の描画に使用する原画像データから、前記描画領域を互いに異なる２方向に分割してなる各描画領域部分に対応する前記記録領域中の各記録領域部分に対する描画に用いる原画像データ部分をそれぞれ取得し、前記記録媒体上の前記記録領域に前記画像を記録すべく、各原画像データ部分に対して前記記録媒体の配置位置および変形の少なくとも一方に応じた位置変換を並列的に施して変換済画像データ部分のそれぞれを得、該変換済画像データ部分を用いて、各描画領域部分に対する画像の描画に用いる描画用画像データ部分のそれぞれ又は描画領域全体に対する画像の描画に用いる描画用画像データを作成する描画用画像データ作成方法において、原画像データ部分が、該原画像データ部分に対応する画像部分の縁部から、該画像部分に隣接する他の画像部分へ延びるのりしろ領域を示す画像データをさらに有することを特徴とするものである。
【００１５】
前記描画領域部分は、前記描画領域を、互いに異なる２方向に分割してなるものとすることができる。
【００１６】
前記原画像データ部分に対する前記位置変換の各処理は、各原画像データ毎に用意された個別の処理手段により並列的に実施するものとすることができる。
【００１７】
本発明の第1の描画用画像データ作成装置は、描画用テーブルに対して位置の定められた描画領域に対応させて該描画用テーブル上の所定位置へ配置された記録媒体上における所定の記録領域への画像の描画に使用する原画像データから、前記描画領域を分割してなる各描画領域部分に対応する前記記録領域中の各記録領域部分に対する描画に用いる原画像データ部分をそれぞれ取得する原画像データ部分取得手段と、描画用テーブル上に配置された位置ずれの生じた記録媒体上の記録領域に前記画像を記録すべく、各原画像データ部分に対して前記位置ずれ量に応じた位置変換を施して変換済画像データ部分のそれぞれを得る位置変換手段と、該変換済画像データ部分を用いて、各描画領域部分に対する画像の描画に用いる描画用画像データ部分のそれぞれを作成する描画データ作成手段とを備えた描画用画像データ作成装置において、原画像データ部分取得手段の取得する前記原画像データ部分が、該原画像データ部分に対応する画像部分の縁部から、該画像部分に隣接する他の画像部分へ延びるのりしろ領域を示す画像データをさらに有することを特徴とするものである。
【００１８】
本発明の第２の描画用画像データ作成装置は、予め定められた描画領域に対応させて配置された記録媒体上における所定の記録領域への画像の描画に使用する原画像データから、前記描画領域を互いに異なる２方向に分割してなる各描画領域部分に対応する前記記録領域中の各記録領域部分に対する描画に用いる原画像データ部分をそれぞれ取得する原画像データ部分取得手段と、前記記録媒体上の前記記録領域に前記画像を記録すべく、各原画像データ部分に対して記録媒体の配置位置および変形の少なくとも一方に応じた位置変換を並列的に施して変換済画像データ部分のそれぞれを得る位置変換手段と、前記変換済画像データ部分を用いて、各描画領域部分に対する画像の描画に用いる描画用画像データ部分のそれぞれ又は描画領域全体に対する画像の描画に用いる描画用画像データを作成する描画データ作成手段とを備えた描画用画像データ作成装置において、原画像データ部分取得手段の取得する前記原画像データ部分が、該原画像データ部分に対応する画像部分の縁部から、該画像部分に隣接する他の画像部分へ延びるのりしろ領域を示す画像データをさらに有することを特徴とするものである。
【００１９】
前記描画領域部分は、前記描画領域を、互いに異なる２方向に分割してなるものとすることができる。
【００２０】
前記位置変換手段は、各原画像データ部分に対する前記位置変換の各処理を、各原画像データ毎に用意された個別の処理手段により並列的に実施するものとすることができる。
【００２１】
前記のりしろ領域は、描画用テーブル上に記録媒体を配置するときに想定される、この記録媒体の、描画領域に対応させて定められた描画用テーブル上の所定位置からの位置ずれ量の最大値に対応させて定められるものであり、原画像データ部分に位置変換を施して得られる変換済画像データ部分の示す画像が、前記原画像データ部分に対応する描画領域部分に描画される画像部分の全体を含むように設定することが望ましい。
【００２２】
本発明の描画用画像データ作成描画装置は、前記描画用画像データ作成装置と、この描画用画像データ作成装置によって作成された前記描画用画像データに基づいて前記記録媒体に画像を描画する描画装置とを備えたことを特徴とするものである。
【発明の効果】
【００２３】
本発明の第１の描画用画像データ作成方法および第１の描画用画像データ作成装置は、描画用テーブル上の所定位置から位置ずれの生じた記録媒体上の記録領域に画像を記録すべく、各原画像データ部分に対して上記位置ずれ量に応じた位置変換を施して変換済画像データ部分のそれぞれを得、これらの変換済画像データ部分を用いて、各描画領域部分に対する画像の描画に用いる描画用画像データ部分のそれぞれを作成するにあたり、原画像データ部分が、上記原画像データ部分に対応する画像部分の縁部から、上記画像部分に隣接する他の画像部分へ延びるのりしろ領域を示す画像データをさらに有するものとしたので、従来のように、複数の変換済画像データ部分を用いて１つの描画用画像データ部分を作成することなく、１つの変換済画像データ部分を用いて１つの描画用画像データ部分を作成することができ、描画用テーブル上に配置された位置ずれの生じた記録媒体上への画像の描画に使用する描画用画像データを効率良く作成することができる。
【００２４】
本発明の第２の描画用画像データ作成方法および第２の描画用画像データ作成装置は、記録媒体上の記録領域に画像を記録すべく、各原画像データ部分に対して前記記録媒体の配置位置および変形の少なくとも一方に応じた位置変換を並列的に施して変換済画像データ部分のそれぞれを得、これらの変換済画像データ部分を用いて、各描画領域部分に対する画像の描画に用いる描画用画像データ部分のそれぞれ又は描画領域全体に対する画像の描画に用いる描画用画像データを作成するにあたり、原画像データ部分が、上記原画像データ部分に対応する画像部分の縁部から、上記画像部分に隣接する他の画像部分へ延びるのりしろ領域を示す画像データをさらに有するものとしたので、上記と同様に、従来のように、複数の変換済画像データ部分を用いて１つの描画用画像データ部分を作成することなく、１つの変換済画像データ部分を用いて１つの描画用画像データ部分を作成することができ、描画用テーブル上に配置された位置ずれの生じた記録媒体上への画像の描画に使用する描画用画像データを効率良く作成することができる。
【００２５】
また、上記各描画用画像データ作成方法および各描画用画像データ作成装置において、各原画像データ部分に対する位置変換の各処理を、各原画像データ毎に用意された個別の処理手段により並列的に実施するものとすれば、従来のように、互いに異なる複数の処理手段から転送された複数種類の変換済画像データ部分を用いて描画用画像データ部分を作成することなく、１つの処理手段から転送された１種類の変換済画像データ部分を用いて描画用画像データ部分を作成することができるので、データ転送に関する処理の簡素化およびデータ転送時間の短縮を実現することができる。それにより、描画用テーブル上に配置された位置ずれの生じた記録媒体上への画像の描画に使用する描画用画像データを効率良く作成することができる。
【００２６】
なお、本発明の描画用画像データ作成方法は、従来に比して、原画像データの容量が上記のりしろ領域の分だけ増大するので、原画像データに対して上記位置変換を施す際の演算量等が増大するが、この演算量等の増大は、上記描画用画像データを作成する効率を若干低下させるものの、その影響は僅かであり、実質的に、上記データ転送に関する処理の簡素化およびデータ転送時間の短縮により描画用画像データを効率良く作成する効果に影響を及ぼすものではない。
【発明を実施するための最良の形態】
【００２７】
以下、本発明の実施の形態について、図面を用いて説明する。図１は露光装置および本発明の実施の形態による描画用画像データ作成装置を示す斜視図、図２は露光ヘッドによって描画される描画領域を示す図、図３は描画用テーブル上の所定位置に配置された感光材料上に正しく画像を描画する様子を示す図、図４は本発明の描画用画像データ作成装置のブロック図、図５（ａ）は所定位置に配置された感光材料上へ正しく画像が描画された様子を示す図、図５（ｂ）は所定位置から外れた位置に配置された感光材料上へ正しく画像が描画された様子を示す図、図６（ａ）は画像部分の縁部からこの画像部分に隣接する他の画像部分へ延びるのりしろ領域を示す図、図６（ｂ）は画像部分の縁部からこの画像部分に隣接する他の画像部分へ延びるのりしろ領域を個別に示す図である。
【００２８】
図示の描画用画像データ作成装置１００は、記録媒体の一例である感光材料１を露光装置２００で露光するために用いる描画用画像データを原画像データから作成するものである。感光材料１は、プリント基板、ディスプレイ用のガラス基板、フィルタ等である。
【００２９】
上記描画用画像データ作成装置１００と、この描画用画像データ作成装置１００で作成された描画用画像データに基づいて記録媒体である上記感光材料１に画像を描画する描画装置２００とにより描画用画像データ作成描画装置が構成される。
【００３０】
［露光装置２００の構成］
露光装置２００は、いわゆるフラットベッド型に構成したものであり、露光対象となる被露光部材である感光材料１を表面に吸着して保持する平板状の描画用テーブル１１４を備えている。４本の脚部１１６に支持された肉厚板状の設置台１１８の上面には、ステージ移動方向に沿って延びた２本のガイド１２０が設置されている。描画用テーブル１１４は、ガイド１２０によって搬送方向（図中矢印Ｙ方向）へ往復移動可能に支持されている。なお、この露光装置２００には、描画用テーブル１１４をガイド１２０に沿って上記搬送方向に駆動するための駆動部１２１が設けられている。
【００３１】
設置台１１８の中央部には、描画用テーブル１１４の移動経路を跨ぐようにコ字状のゲート１２２が設けられている。ゲート１２２の端部の各々は、設置台１１８の両側面に固定されている。このゲート１２２を挟んで一方の側には露光ユニット１２４が設けられ、他方の側には描画用テーブル１１４上に配置される感光材料１の、上記描画用テーブル１１４上の所定位置からの位置ずれ量δを測定する２つの撮像部からなる位置ずれ測定部２０が上記ゲート１２２に各々取り付けられている。なお、上記所定位置は、描画用テーブル１１４に対して位置の定められた描画領域に対応させてこの描画用テーブル１１４上に定められるものである。また、測定部２０によって感光材料１の変形量を測定することもできる。
【００３２】
上記位置ずれ測定部２０は、描画用画像データ作成装置１００が備える後述する位置変換部３５を構成するものでもある。露光ユニット１２４および上記位置ずれ測定部２０はゲート１２２に各々取り付けられて、描画用テーブル１１４の移動経路の上方に固定配置されている。なお、露光ユニット１２４および駆動部１２１等は、この露光装置２００の各部の同期やタイミングを制御する露光装置コントローラ１２８に接続されている 。
【００３３】
この露光ユニット１２４の内部には、複数、例えば４個の露光ヘッド１３０Ａ，１３０Ｂ，１３０Ｃ，１３０Ｄ（以後、これらをまとめて露光ヘッド１３０ともいう）が設置されている。
【００３４】
図２に示すように、感光材料１上における、各露光ヘッド１３０Ａ，１３０Ｂ・・・によって露光される各露光ヘッド１３０毎の帯状の露光領域１３４Ａ，１３４Ｂ，１３４Ｃ，１３４Ｄ（以後、これらをまとめて露光領域１３４ともいう）は、搬送方向（図中矢印Ｙ方向）を長辺とする矩形状に形成される。
【００３５】
〔描画用画像データ作成装置１００の構成〕
以下、描画用画像データ作成装置１００の構成について説明する。
【００３６】
描画用画像データ作成装置１００は、描画用テーブル１１４上の所定の位置からずれてこの描画用テーブル１１４に配置された感光材料１上に画像が正しく描画されるように、露光装置コントローラ１２８から入力された原画像データＦを上記位置ずれに応じて位置変換、すなわち座標変換し、この座標変換に基づいて得られた描画用画像データＦ’を再び露光装置コントローラ１２８に供給するものである。
【００３７】
上記描画用画像データ作成装置１００は、描画用テーブル１１４に対して位置の定められた描画領域Ｋに対応させてこの描画用テーブル１１４上の所定位置Ｐｏへ配置された記録媒体上における所定の記録領域Ｓｏへの画像の描画に使用する原画像データＦから、上記描画領域Ｋを分割してなる各描画領域部分Ｋ１．１、Ｋ１．２，Ｋ２．１、・・・Ｋ４．２に対応する上記記録領域Ｓｏ中の各記録領域部分Ｓ１．１、Ｓ１．２、・・・Ｓ４．２に対する描画に用いる原画像データ部分Ｆ１．１，Ｆ１．２・・・Ｆ４．２をそれぞれ取得する原画像データ部分取得部１０を備えている。
【００３８】
図３においては、所定位置Ｐｏへ配置された感光材料１の縁部の輪郭と描画領域Ｋの範囲とを互いに一致させているが、必ずしも両者の範囲を互いに一致させる必要はない。
【００３９】
また、原画像データ部分取得部１０の取得する原画像データ部分Ｆ１．１，Ｆ１．２・・・Ｆ４．２のそれぞれは、各原画像データ部分に対応する各画像部分Ｐｃ１．１，Ｐｃ１．２、・・・Ｐｃ４．２の縁部から、画像部分Ｐｃ１．１，Ｐｃ１．２、・・・Ｐｃ４．２に隣接する他の画像部分へ延びるのりしろ領域を示す画像データをさらに有するものである。上記のりしろ領域については後述する。
【００４０】
なお、上記描画領域Ｋは上記露光ヘッド１３０による露光領域１３４と一致するものである。また、描画領域部分Ｋ１．１，Ｋ１．２が露光ヘッド１３０Ａによって露光される領域でありこの領域は上記露光領域１３４Ａと一致し、描画領域部分Ｋ２．１，Ｋ２．２が露光ヘッド１３０Ｂによって露光される領域でありこの領域は上記露光領域１３４Ｂと一致する。以下、描画領域部分Ｋ３．１、Ｋ３．２、および描画領域部分Ｋ４．１，Ｋ４．２についても同様である。なお、描画領域部分Ｋ１．１が露光ヘッド１３０Ａによる露光動作の前半に露光される領域であり、描画領域部分Ｋ１．２が露光ヘッド１３０Ａによる露光動作の後半に露光される領域である。他の露光ヘッドについても上記露光動作の前半に露光される領域と、露光動作の後半に露光される領域との関係は同様である。
【００４１】
この描画用画像データ作成装置１００は、さらに、原画像データ部分取得部１０から入力された各原画像データ部分Ｆ１．１，Ｆ１．２、・・・Ｆ４．２のそれぞれに対する演算を個別に実行する演算回路である座標変換用演算回路Ｄｓ１．１，Ｄｓ１．２・・・Ｄｓ４．２のそれぞれを有する座標変換部３０と、上記位置ずれ量δ（ｘ，ｙ、θ）を測定する位置ずれ測定部２０とを備えた上記位置変換部３５を有している。
【００４２】
座標変換部３０は、図５（ａ）、（ｂ）に示すように、上記位置ずれの生じた位置Ｐ１に位置する感光材料１（図５（ｂ）参照）上の記録領域Ｓｏへ上記画像Ｐｃが正しく描画されるように、上記原画像データ部分Ｆ１．１，Ｆ１．２、・・・Ｆ４．２に対して座標変換を施す。これにより、位置ずれの生じた位置Ｐ１に位置する感光材料１（図５（ｂ）参照）上へ描画される画像Ｐｃの感光材料１に対する画像配置を、上記所定位置Ｐｏに配置された感光材料１（図５（ａ）参照）上へ原画像データＦを用いて描画される画像Ｐｃの感光材料１に対する画像配置と一致させることができる。
【００４３】
すなわち、座標変換部３０は、原画像データ部分Ｆ１．１，Ｆ１．２、・・・Ｆ４．２のそれぞれを個別に上記座標変換用演算回路Ｄｓ１．１，Ｄｓ１．２、・・・Ｄｓ４．２に通して各原画像データ部分Ｆ１．１、Ｆ２．１、・・・Ｆ４，２に対し上記位置ずれ量δ（ｘ，ｙ、θ）に応じた座標変換を施して変換済画像データ部分Ｇ１．１，Ｇ１．２、・・・Ｇ４．２（以後、まとめて変換済画像データ部分Ｇともいう）のそれぞれを得る。
【００４４】
なお、図５（ａ）、（ｂ）中の所定位置Ｐｏに配置された感光材料１の角部を示す基準位置Ｏを基準にし、この感光材料１を位置ずれ量δ（ｘ，ｙ、θ）分だけ移動させた位置が位置Ｐ１となる。
【００４５】
さらに、上記描画用画像データ作成装置１００は、上記変換済画像データ部分Ｇ１．１、Ｇ１．２、・・・Ｇ４．２を用いて、上記各描画領域部分Ｋ１．１，Ｋ１．２，Ｋ２．１、・・・Ｋ４．２への画像の描画に用いる描画用画像データ部分Ｆ’１，１，Ｆ’１．２、・・・Ｆ’４．２のそれぞれを作成する描画データ作成部４０を備えている。
【００４６】
なお、描画データ作成部４０は、描画用演算回路Ｄｇ１．１，Ｄｇ１．２、・・・Ｄｇ４．２を有し、変換済画像データ部分Ｇ１．１，Ｇ１．２、・・・Ｇ４．２のそれぞれを個別に各描画用演算回路Ｄｇ１．１，Ｄｇ１．２、・・・Ｄｇｓ４．２に通して描画用画像データ部分Ｆ’１．１，Ｆ’１．２、・・・Ｆ’４．２のそれぞれを作成するものである。
【００４７】
なお、描画用演算回路Ｄｇ１．１は、露光ヘッド１３０Ａによる描画領域部分Ｋ１．１に対する描画を行うために使用する画像データを用意するためのものであり、描画用演算回路Ｄｇ１．２は、露光ヘッド１３０Ａによる描画領域部分Ｋ１，２に対する描画を行うために使用する画像データを用意するためのものである。以下、同様に、描画用演算回路Ｄｇ２．１・・・・Ｄｇ４．２は、露光ヘッド１３０Ｂ、・・・１３０Ｄによる描画揮域部分Ｋ２．１・・・Ｋ４．２に対する描画を行うために使用する画像データを用意するためのものである。
【００４８】
上記のりしろ領域（データ重複領域）について図６（ａ）を参照して説明する。例えば、画像部分Ｐｃ１．１（図中斜線で示す）の縁部から、この画像部分Ｐｃ１．１に隣接する他の甲低部分に延びる領域、すなわち、画像部分Ｐｃ１．２中の画像領域Ｑａ、画像部分Ｐｃ２．１中の画像領域Ｑｂ、および画像部分Ｐｃ２．２中の画像領域Ｑｃのそれぞれが、上記画像部分Ｐｃ１．１におけるのりしろ領域であり、原画像データ部分Ｆ１．１は上記画像部分Ｐｃ１．１におよび上記のりしろ領域を示す画像データを含むものである。すなわち、原画像データ部分Ｆ１．１は、画像部分Ｐｃ１．１、画像領域Ｑａ、画像領域Ｑｂ、および画像領域Ｑｃからなる糊代付画像部分Ｐｄ１．１を示す画像データからなるものである。
【００４９】
図６（ｂ）に示すように、各原画像データ部分Ｆ１．１，Ｆ１．２・・・Ｆ４．２のそれぞれは、各画像部分Ｐｃ１．１，Ｐｃ１．２、・・・Ｐｃ４．２の縁部から、隣接する他の画像部分へ延びるのりしろ領域Ｑ１．１、Ｑ１．２・・・Ｑ４．２を含む糊代付画像部分Ｐｄ１．１，Ｐｄ１．２・・・Ｐｄ４．２示す画像データで構成されたものである。
【００５０】
次に、描画用画像データ作成装置１００の動作について説明する。
【００５１】
図７は描画領域Ｋと、所定位置から外れた位置Ｐ１に配置された感光材料１上の記録領域Ｓｏへ描画される画像との位置関係を示す図、図８は図７の各描画領域部分Ｋ１．１・・・Ｋ４．２を展開し分離して示す図であり図８に示す描画領域Ｋの一部分のみを示す図である。
【００５２】
感光材料１が描画用テーブル１１４上の位置ずれの生じた位置Ｐ１へ配置され、露光装置コントローラ１２８から原画像データ部分取得部１０に原画像データＦが入力される。
【００５３】
位置ずれ測定部２０が、描画用テーブル１１４上に配置された感光材料１の上記予め定められた所定位置Ｐからの位置ずれ量δ（ｘ，ｙ、θ）を測定する。この位置ずれ測定部２０は、撮影レンズとこの撮影レンズで結像させた像を電気的な画像信号に変換するＣＣＤ素子と上記画像信号を画像処理する画像処理部等によって構成することができる。なお、感光材料の変形量が上記位置ずれ量δに含まれていてもよい。
【００５４】
座標変換部３０は、原画像データ部分取得部１０から入力された上記のりしろ領域を含む画像Ｐｄ１．１・・・Ｐｄ４．２を示す原画像データ部分Ｆ１．１・・・Ｆ４．２と、位置ずれ測定部２０から入力された位置ずれ量δ（ｘ，ｙ、θ）とに基づいて変換済画像データ部分Ｇ１．１，Ｇ１．２、・・・Ｇ４．２のそれぞれを得る。これにより、描画用テーブル１１４上の位置ずれの生じた位置Ｐ１に配置された感光材料１上に画像が正しく描画されるように、原画像データＦに対する座標変換が行われる。
【００５５】
すなわち、図７に示すように、各露光ヘッド１３０で描画される描画領域Ｋ１．１，Ｋ１．２，Ｋ２．１、・・・Ｋ４．２の描画用テーブル１１４に対する位置は変わらないが、上記座標変換部３０が、位置ずれの生じた位置Ｐ１に位置する感光材料１に対して予め位置が定められている記録領域Ｓｏに、画像Ｐｃが正しく描画されるように原画像データＦに座標変換を施して各変換済画像データ部分Ｇ１．１，Ｇ１．２、・・・Ｇ４．２を得る。
【００５６】
ここで、図８に示すように、描画領域部分Ｋ１．１に描画する画像部分Ｐｉ１．１（図８中斜線で示す領域）は座標変換された糊代付画像Ｐｄ１．１（図８中＋記号で示す領域）に含まれる。以下同様に、描画領域部分Ｋ１．２・・・Ｋ４．２に描画する画像部分Ｐｉ１．２・・・Ｐｉ４．２は糊代付画像Ｐｄ１．２・・・Ｐｄ４．２のそれぞれに含まれる。したがって、描画領域部分Ｋ１．１に画像部分Ｐｉ１．１を描画するための描画用画像データ部分’Ｆ１．１は、糊代付画像Ｐｄ１．１を示す変換済画像データ部分Ｇ１．１のみを用いて作成することができ、また、描画領域部分Ｋ１．２に画像部分Ｐｉ１．２を描画するための描画用画像データ部分Ｆ’１．２は、糊代付画像Ｐｄ１．２を示す変換済画像データ部分Ｇ１．２のみを用いて作成することができる。以下同様に描画領域部分Ｋ２．１、・・・Ｋ４．２を描画するための描画用画像データ部分Ｆ’２．１、・・・Ｆ’４．２のそれぞれは、糊代付画像Ｐｄ２．１、・・・Ｐｄ４．２を示す変換済画像データ部分Ｇ２．１、・・・Ｇ４．２のそれぞれを用いて作成することができる。
【００５７】
なお、図７中における、画像データ部分Ｆ’１．１を用いて描画する画像部分Ｐｉ１．１は図中の斜線で示す領域であり、図８中における、画像データ部分Ｆ’１．２，Ｆ’２．１、およびＦ’２．２を用いて描画する画像部分Ｐｉ１．２、Ｐｉ２．１、およびＰｉ２．２のそれぞれは図８中の斜線で示す領域である。
【００５８】
したがって、露光ヘッド１３０Ａで描画領域部分Ｋ１．１に描画を行うために使用する描画用画像データ部分Ｆ’１．１は、変換済画像データ部分Ｇ１．１のみを描画用演算回路Ｄｇ１．１に通すことにより得ることができ、露光ヘッド１３０Ａで描画領域部分Ｋ１．２に描画を行うために使用する描画用画像データ部分Ｆ’１．２は、変換済画像データ部分Ｇ１．２のみを描画用演算回路Ｄｇ１．２に通すことにより得ることができる。以下、描画領域部分Ｋ２．１・・・Ｋ４．２のそれぞれについても同様である。
【００５９】
上記描画データ作成部４０で作成された描画用画像データ部分Ｆ’１．１，Ｆ’１．２、・・・Ｆ’４．２のそれぞれは、露光装置コントローラ１２８に転送され記憶される。
【００６０】
づついて、露光装置コントローラ１２８の制御により、描画用画像データ部分Ｆ’１．１，Ｆ’１．２、・・・Ｆ’４，２が各露光ヘッド１３０Ａ、・・・１３０Ｄに入力されるとともに、駆動部１２１の駆動により描画用テーブル１１４が搬送される。各露光ヘッド１３０は所定の位置からずれて描画用テーブル１１４上に配置され搬送される感光材料１上の記録領域Ｓｏに上記画像Ｐｃの描画を行う。
【００６１】
描画用テーブル１１４が、ガイド１２０の始点から終点まで搬送されると、感光材料１への描画が終了し、上記描画装置１５０の描画によって、感光材料１上の記録領域Ｓｏに正しく上記画像Ｐｃが描画される。
【００６２】
すなわち、上記描画用画像データ部分Ｆ’１．１・・・Ｆ’４，２を用いて上記位置ずれの生じた位置Ｐ１に配置された感光材料１上に描画された画像Ｐｃのこの感光材料１に対する画像の配置は、原画像データＦを用いて所定位置Ｐｏに配置された感光材料１上に描画された画像Ｐｃのこの感光材料１に対する画像の配置と一致する。
【００６３】
ここで、上記のりしろ領域を有する画像部分を使用して描画用画像データ部分を作成する場合を、従来の、上記のりしろ領域を有していない画像部分を使用する場合とを比較する。
【００６４】
図９は従来の手法によって、のりしろ領域を有していない原画像データの座標変換に基づいて描画用画像データを作成し描画を行なう場合の描画領域部分と描画に用いられる描画用画像データ部分が示す画像部分との関係を示す図であり、図８と同様の形式で各描画領域部分を展開し分離して示す図である。なお、図８の描画領域部分は描画領域の一部分のみを示すものである。
【００６５】
座標変換部３０の座標変換用演算回路Ｄｓ１．１，Ｄｓ１．２・・・Ｄｓ４．２により、原画像データ部分取得部１０から入力された上記のりしろ領域を有さない画像Ｐｃ１．１、・・・Ｐｃ４．２を示す原画像データ部分Ｅ１．１、・・・Ｅ４．２と、位置ずれ測定部２０から入力された位置ずれ量δ（ｘ，ｙ、θ）とに基づいて変換済画像データ部分Ｈ１．１、・・・Ｈ４．２のそれぞれを得たとする．この変換済画像データ部分Ｈ１．１，・・・Ｈ４．２は、のりしろ領域を有するものではないが、上記と同様に位置ずれの生じた位置Ｐ１に位置する感光材料１上の記録領域Ｓｏに画像Ｐｃが正しく描画されるように座標変換が施されたものである。また、上記と同様に各露光ヘッド１３０で描画される描画領域部分Ｋ１．１・・・Ｋ４．２の描画用テーブル１１４に対する位置は変わらない。
【００６６】
ここで、図９に示すように、描画領域部分Ｋ１．１に描画する画像は、変換済画像データ部分Ｈ１．１が示すのりしろの無い画像Ｐｅ１．１、変換済画像データ部分Ｈ１．２が示すのりしろの無い画像Ｐｅ１．２の一部、変換済画像データ部分Ｈ２．１が示すのりしろの無い画像Ｐｅ２．１の一部、および変換済画像データ部分Ｈ２．２が示すのりしろの無い画像Ｐｅ２．２の一部で構成される。すなわち、描画領域部分Ｋ１．１に描画する画像部分（図９中斜線で示す領域）は、互いに異なる４つの変換済画像データ部分を合成したものとなる。以下同様に、他の描画領域部分に描画する画像も、複数ののりしろの無い原画像データ部分のそれぞれを合成したものとなる。
【００６７】
したがって、露光ヘッド１３０Ａで描画領域部分Ｋ１．１に描画する上記画像部分の描画に使用される描画用画像データ部分Ｅ′１．１は、上記変換済画像データ部分Ｈ１．１、変換済画像データ部分Ｈ１．２、変換済画像データ部分Ｈ２．１、および変換済画像データ部分Ｈ２．２を描画用演算回路Ｄｇ１．１に通すことにより得られるものとなる。以下、描画領域部分Ｋ２．１・・・Ｋ４．２のそれぞれについても、複数の変換済画像データ部分を描画用演算回路Ｄｇ１．１に通すことによって得られることは同様である。
【００６８】
したがって、各座標変換用演算回路Ｄｓ１．１，Ｄｓ１．２・・・Ｄｓ４．２による並列的な演算によって得られた変換済画像データ部分Ｈ１．１・・・Ｈ４．２のそれぞれは、複数の描画用演算回路Ｄｇ１．１・・・Ｄｇ４．２に転送され、各描画用演算回路Ｄｇ１．１・・・Ｄｇ４．２は複数の変換済画像データ部分の転送を受け入れることとなる。そのため、上記従来の手法ではデータ転送の処理が複雑となり、本発明による手法の方が効率良く描画用画像データを作成できることがわかる。
【００６９】
なお、上記の実施の形態においては、描画領域部分が、描画領域を互いに異なる２方向に分割してなるものとしたが、このような場合に限らず、描画領域部分は、描画領域を１方向に分割してなるものであってもよい。また、分割数も上記実施の形態における分割数に限定されるものではない。例えば、図１０（ａ）に示すように、各描画領域部分Ｋｃは、描画領域ＫをＹ方向に４分割、Ｘ方向に３分割してなるものとしてもよい。なお、描画領域Ｋに対応する記録領域Ｓｏに描画される画像Ｐｃの領域を図中に示す。また、図１０（ｂ）に示すように、上記のような場合には、各原画像データ部分に対応する上記画像Ｐｃ中の各画像部分Ｐｃｃ（図中+記号で示す領域）における各のりしろ領域は、上記と同様に例えば、領域Ｑｃｃ（図中斜線で示す領域）のように設定することができる。
【００７０】
また、図１１の、露光ヘッドにより感光材料上に描画する描画領域が互いにオーバラップする場合を示す斜視図に示すように、各露光ヘッド１３０で描画する描画領域部分１３４が互いにオーバラップしていても、本発明による上記手法を採用することにより上記と同様の効果を得ることができる。
【００７１】
なお、インクジェット方式等の他の描画装置にも本発明を適用可能である。
【図面の簡単な説明】
【００７２】
【図１】露光装置および本発明の実施の形態による描画用画像データ作成装置を示す斜視図
【図２】露光ヘッドによって描画される描画領域を示す図
【図３】描画用テーブル上の所定位置に配置された感光材料上に正しく画像を描画する様子を示す平面図
【図４】本発明の描画用画像データ作成装置のブロック図
【図５】図５（ａ）は所定位置に配置された感光材料上へ正しく画像が描画された様子を示す図、図５（ｂ）は所定位置からすれた位置に配置された感光材料上へ正しく画像が描画された様子を示す図
【図６】画像部分の縁部からこの画像部分に隣接する他の画像部分へ延びるのりしろ領域を示す図
【図７】所定位置から外れた位置に配置された感光材料上の記録領域と描画領域との位置関係を示す図
【図８】図７の一部を拡大して詳しく示す図
【図９】従来の手法によって描画用画像データを作成した場合の描画領域と描画される画像との関係を示す図
【図１０】描画領域をＹ方向に４分割、Ｘ方向に３分割してなる各描画領域部分を示す図
【図１１】露光ヘッドにより感光材料上に描画する描画領域が互いにオーバラップする場合を示す斜視図
【図１２】従来の手法により所定位置に配置された感光材料上へ正しく画像を描画する様子を示す図
【図１３】従来の手法により所定位置から外れた位置に配置された感光材料上へ正しく画像を描画する様子を示す図
【符号の説明】
【００７３】
１    感光材料
１０    原画像データ部分取得部
２０    位置ずれ測定部
３０    座標変換部
４０    描画データ作成部
１００    描画用画像データ作成装置
１１４    描画用テーブル
１３０    露光ヘッド
２００    露光装置
【図１】
2006264050.tif 000003
【図２】
2006264050.tif 000004
【図３】
2006264050.tif 000005
【図４】
2006264050.tif 000006
【図５】
2006264050.tif 000007
【図６】
2006264050.tif 000008
【図７】
2006264050.tif 000009
【図８】
2006264050.tif 000010
【図９】
2006264050.tif 000011
【図１０】
2006264050.tif 000012
【図１１】
2006264050.tif 000013
【図１２】
2006264050.tif 000014
【図１３】
2006264050.tif 000015